(57)【要約】【課題】防振マウント本体を筒形ブラケットに対して所定の位置に容易に嵌め付けることが出来ると共に、防振マウント本体と筒形ブラケットの組付状態を安定して維持することが出来る、新規な構造の防振マウント組立体を提供すること。【解決手段】第二の取付部材１８の軸方向一方の開口周縁部にフランジ状部３０を設けると共に、第二の取付部材１８の外周面に嵌着ゴム４２を被着形成して周方向に延びる環状係止面４４を嵌着ゴム４２で突出形成する一方、筒形ブラケット１４として軽量材製のものを採用すると共に、筒形ブラケット１４の内周面を軸方向両側に向かって次第に拡径する上テーパ面６２と下テーパ面６４で構成し、筒形ブラケット１４における上テーパ面６２側の開口端面にフランジ状部３０を重ね合わせる一方、下テーパ面６４を嵌着ゴム４２に押し当てることにより、防振マウント本体１２の筒形ブラケット１４からの抜け抗力が発揮されるようにした。【選択図】図１
2008248932.tif 000002
【特許請求の範囲】
【請求項１】
防振連結される一方の部材に取り付けられる第一の取付部材が第二の取付部材における円筒状部の軸方向一方の開口部側に離隔配置されて、それら第一の取付部材と第二の取付部材が本体ゴム弾性体で連結されることにより防振マウント本体が構成されていると共に、該防振マウント本体の該第二の取付部材における該円筒状部に対して別体の筒形ブラケットが外嵌固定されており、該第二の取付部材が該筒形ブラケットを介して防振連結される他方の部材に取り付けられる防振マウント組立体において、
前記防振マウント本体には、前記第二の取付部材の軸方向一方の開口周縁部にフランジ状部を設けると共に、該第二の取付部材の前記円筒状部の外周面に嵌着ゴムを被着形成して該円筒状部の外周面を周方向に延びる環状係止面を該嵌着ゴムで突出形成する一方、
前記筒形ブラケットには、非鉄金属または合成樹脂材からなる軽量材製のものを採用すると共に、該筒形ブラケットの内周面を軸方向中間部分から軸方向両側開口部に向かって次第に拡径する上テーパ面と下テーパ面で構成し、該筒形ブラケットにおける該上テーパ面側の開口端面に前記防振マウント本体の前記第二の取付部材の前記フランジ状部を軸方向に重ね合わせる一方、
該筒形ブラケットの該下テーパ面を該第二の取付部材に形成された前記嵌着ゴムに押し当てて、該下テーパ面を該嵌着ゴムの前記環状係止面に当接係止させることにより、該防振マウント本体の該筒形ブラケットからの抜け抗力が発揮されるようにしたことを特徴とする防振マウント組立体。
【請求項２】
前記筒形ブラケットの前記下テーパ面が、前記上テーパ面との境界部分において、前記防振マウント本体の前記第二の取付部材における前記環状係止面に対して当接係止されている請求項１に記載の防振マウント組立体。
【請求項３】
前記筒形ブラケットの内周面において前記上テーパ面と前記下テーパ面の境界に位置して周方向に延びる稜線が、前記第二の取付部材の前記円筒状部の外径寸法よりも大きな内径寸法をもって形成されている請求項１又は２に記載の防振マウント組立体。
【請求項４】
前記嵌着ゴムの外周面に軸方向で延びる複数の凹部が形成されている請求項１乃至３の何れか一項に記載の防振マウント組立体。
【請求項５】
前記嵌着ゴムの軸方向中間部分に環状の段差面が形成されており、該嵌着ゴムにおいて該段差面の軸方向一方の側に位置する部分に対して他方の側に位置する部分を外周側に突出せしめることにより該段差面で前記環状係止面が構成されていると共に、該嵌着ゴムにおいて該段差面の軸方向他方の側に位置して外周側に突出する部分が前記筒形ブラケットの前記下テーパ面に当接せしめられて圧縮変形せしめられている請求項１乃至４の何れか一項に記載の防振マウント組立体。
【発明の詳細な説明】
【技術分野】
【０００１】
本発明は、自動車等のエンジンマウント等として採用されるマウント本体に対して筒形ブラケットを組み付けてなる防振マウント組立体に関するものである。
【背景技術】
【０００２】
従来から、振動伝達系を構成する部材間に介装される防振連結体乃至は防振支持体の一種として、例えば、第一の取付部材を筒状の第二の取付部材における軸方向一方の開口部側に離隔配置して、それら第一の取付部材と第二の取付部材を本体ゴム弾性体で弾性的に連結した構造を有する防振マウントが知られている。このような防振マウントは、例えば、自動車のエンジンマウント等として好適に採用されている。
【０００３】
このような構造とされた防振マウントでは、製造上の理由等から、第二の取付部材がブラケットを介して車両ボデー等の防振連結される部材に取り付けられるようになっている場合がある。即ち、例えば、本体ゴム弾性体の耐久性を向上せしめるために、本体ゴム弾性体に対して予圧縮を加える場合には、第二の取付部材に対して八方絞り等の縮径加工を施す方法が知られている。このような縮径加工を施す場合には、防振連結される部材への取付部分が第二の取付部材に対して直接に設けられていると、第二の取付部材に対して縮径加工を施すことが困難となり易い。そこで、従来から一般的に、第二の取付部材を別体形成された筒形ブラケットに圧入固定して、筒形ブラケットを防振連結される車両ボデー等の部材に固定することにより、第二の取付部材を筒形ブラケットを介して防振対象部材に組み付けるようにした構造が好適に採用されている（例えば、特許文献１（特開２００１−８２５３１号公報）参照）。
【０００４】
ところで、一般に従来の筒形ブラケットは、防振マウント本体の筒形ブラケットへの圧入による筒形ブラケットの変形や破損を防ぐために、高い剛性を容易に得ることが可能な鉄系金属で形成されていた。しかし、近年では、車両の燃費向上や軽量化等を目的として、筒形ブラケットの形成材料としてアルミニウム合金等の非鉄金属や繊維強化樹脂等の合成樹脂材を採用することが検討されている。
【０００５】
ところが、このような非鉄金属や合成樹脂等の軽量材で筒形ブラケットを形成した場合には、一般的に、鉄系金属で形成した筒形ブラケットほどの耐荷重強度を実現することが難しい。それ故、軽量材で形成した筒形ブラケットに対して第二の取付部材を圧入固定するに際して、筒形ブラケットにひび割れが生じ易くなる等の問題があった。また、充分な耐荷重性を確保するために筒形ブラケットを厚肉とすると、筒形ブラケットを軽量材で形成する趣旨に反することとなって、筒形ブラケットの軽量化を充分に実現し得ないという問題がある。
【０００６】
そこで、本出願人は、特許文献２（特開２００５−１０６１５０号公報）において、非鉄金属や合成樹脂等の軽量材で形成された筒形ブラケットに対する防振マウント本体の組付けに際して、筒形ブラケットの破損を回避し得る防振マウント組立体を提案している。即ち、特許文献２に示された防振マウント組立体は、防振マウント本体の第二の取付部材を、軽量材で形成された筒形ブラケットに対して隙間をもって嵌め入れると共に、第二の取付部材と筒形ブラケットの隙間には、嵌合ゴムを圧縮された状態で介在せしめて、防振マウント本体と筒形ブラケットを固定的に位置決めするようにした構造とされている。これによれば、第二の取付部材を筒形ブラケットに対して隙間をもって嵌め入れることにより、圧入力の作用による筒形ブラケットの破損を回避することが出来るようになっている。
【０００７】
しかしながら、本発明者が更なる検討と実験を行った結果、特許文献２に開示されている構造にも、未だ改良の余地が存することが明らかとなった。
【０００８】
すなわち、特許文献２に記載の防振マウント組立体では、第二の取付部材と筒形ブラケットの間にゴム弾性体で形成された嵌合ゴムが介在せしめられており、嵌合ゴムが圧縮されるように第二の取付部材が筒形ブラケットに対して押し入れられて嵌着されるようになっている。それ故、第二の取付部材を筒形ブラケットに対して嵌め入れた後で、軸方向で剪断変形せしめられた嵌合ゴムの復原力によって、防振マウント本体に対して筒形ブラケットから抜出す方向の力（抜け力）が作用して、防振マウント本体が筒形ブラケットに対して相対的に変位せしめられるおそれがある。従って、防振マウント本体の筒形ブラケットに対する軸方向での相対的な位置がずれるおそれがあり、場合によっては、防振マウント本体の筒形ブラケットに対する抜け抗力が充分に得られず、防振マウント本体が筒形ブラケットから脱落するおそれもあった。
【０００９】
また、特許文献２に記載の防振マウント組立体では、防振マウント本体の筒形ブラケットからの抜けを防ぐための抜け抗力を、筒形ブラケットと嵌合ゴムの間で生じる摩擦力を利用して得るようになっている。それ故、抜け力に対して充分な抗力を得るためには、嵌合ゴムの圧縮変形量、換言すれば、嵌合ゴムに作用する垂直抗力を充分に確保する必要がある。しかしながら、嵌合ゴムの圧縮変形量を充分に大きくすると、防振マウント本体の筒形ブラケットへの嵌入れが難しくなるおそれがあり、特許文献２に示されているように、防振マウント本体と筒形ブラケットをボルト等で相互に固定することにより、防振マウント本体と筒形ブラケットを相互に位置決めする場合においても、防振マウント本体を筒形ブラケットに対して所定の位置まで嵌め入れて組み付けることが困難となる場合もあった。
【００１０】
【特許文献１】特開２００１−８２５３１号公報
【特許文献２】特開２００５−１０６１５０号公報
【発明の開示】
【発明が解決しようとする課題】
【００１１】
ここにおいて、本発明は、上述の如き事情を背景として為されたものであって、その解決課題とするところは、防振マウント本体を筒形ブラケットに対して所定の位置に容易に嵌め付けることが出来ると共に、防振マウント本体と筒形ブラケットの組付状態を安定して維持することが出来る、新規な構造の防振マウント組立体を提供することを目的とする。
【課題を解決するための手段】
【００１２】
以下、このような課題を解決するために為された本発明の態様を記載する。なお、以下に記載の各態様において採用される構成要素は、可能な限り任意な組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【００１３】
すなわち、本発明は、防振連結される一方の部材に取り付けられる第一の取付部材が第二の取付部材における円筒状部の軸方向一方の開口部側に離隔配置されて、それら第一の取付部材と第二の取付部材が本体ゴム弾性体で連結されることにより防振マウント本体が構成されていると共に、該防振マウント本体の該第二の取付部材における該円筒状部に対して別体の筒形ブラケットが外嵌固定されており、該第二の取付部材が該筒形ブラケットを介して防振連結される他方の部材に取り付けられる防振マウント組立体において、前記防振マウント本体には、前記第二の取付部材の軸方向一方の開口周縁部にフランジ状部を設けると共に、該第二の取付部材の前記円筒状部の外周面に嵌着ゴムを被着形成して該円筒状部の外周面を周方向に延びる環状係止面を該嵌着ゴムで突出形成する一方、前記筒形ブラケットには、非鉄金属または合成樹脂材からなる軽量材製のものを採用すると共に、該筒形ブラケットの内周面を軸方向中間部分から軸方向両側開口部に向かって次第に拡径する上テーパ面と下テーパ面で構成し、該筒形ブラケットにおける該上テーパ面側の開口端面に前記防振マウント本体の前記第二の取付部材の前記フランジ状部を軸方向に重ね合わせる一方、該筒形ブラケットの該下テーパ面を該第二の取付部材に形成された前記嵌着ゴムに押し当てて、該下テーパ面を該嵌着ゴムの前記環状係止面に当接係止させることにより、該防振マウント本体の該筒形ブラケットからの抜け抗力が発揮されるようにしたことを特徴とする。
【００１４】
このような本発明に従う構造とされた防振マウント組立体においては、筒形ブラケットを非鉄金属や合成樹脂材等の軽量材で形成することによって、軽量化を有利に図ることが出来る。しかも、第二の取付部材に設けられた嵌着ゴムを筒形ブラケットの内周面を構成する下テーパ面に押し当てて係止させることによって防振マウント本体の筒形ブラケットからの抜けに対する抗力を有効に得られるようになっている。それ故、充分な抜け抗力を実現しつつ、軽量材で形成された筒形ブラケットに作用する応力を小さく抑えて、筒形ブラケットの変形や破損等を有利に防ぐことが出来る。
【００１５】
また、筒形ブラケットの内周面を、軸方向開口部側に向かって次第に拡径する上テーパ面と下テーパ面で構成することにより、防振マウント本体の筒形ブラケットへの嵌入れに際して、防振マウント本体を上テーパ面の案内作用によって軸直角方向での所定位置に案内して容易に嵌め入れることが出来る。それ故、防振マウント組立体を容易に製造することが出来る。
【００１６】
また、本発明に係る防振マウント組立体においては、前記筒形ブラケットの前記下テーパ面が、前記上テーパ面との境界部分において、前記防振マウント本体の前記第二の取付部材に設けられた前記嵌着ゴムの前記環状係止面に対して当接係止されていても良い。
【００１７】
これによれば、第二の取付部材に設けられた嵌着ゴムと筒形ブラケットの下テーパ面の当接係止を、上下テーパ面の境界部分において実現することにより、嵌着ゴムの環状係止面と下テーパ面の係止による抜け抗力の確保を有効に実現しつつ、比較的に小さい嵌入力で防振マウント本体を筒形ブラケットに嵌め付けることが出来る。それ故、防振マウント本体の筒形ブラケットへの組付けに際して、筒形ブラケットの変形や破損をより有利に防ぐことが出来る。
【００１８】
また、本発明に係る防振マウント組立体では、前記筒形ブラケットの内周面において前記上テーパ面と前記下テーパ面の境界に位置して周方向に延びる稜線が、前記第二の取付部材の前記円筒状部の外径寸法よりも大きな内径寸法をもって形成されている構造を採用することも出来る。
【００１９】
これによれば、上テーパ面および下テーパ面において内径寸法が最小となる稜線の内径寸法が、第二の取付部材の円筒状部の外径寸法よりも大きくされていることにより、防振マウント本体を筒形ブラケットに嵌め入れる際に、第二の取付部材の円筒状部の外周面と筒形ブラケットの円筒状部の内周面の当接によって、筒形ブラケットに破損や変形が生じるのを有利に防ぐことが出来る。
【００２０】
また、本発明に係る防振マウント組立体においては、前記嵌着ゴムの外周面に軸方向で延びる複数の凹部が形成されていても良い。
【００２１】
このような構造を採用することにより、防振マウント本体の筒形ブラケットへの嵌入れに際して、嵌着ゴムの外周面と筒形ブラケットの内周面の当接面積を小さくすることで必要な嵌入れ力を小さく抑えることが出来る。しかも、複数の凹部を軸方向に延びるように形成することにより、軸方向での案内作用によって防振マウント本体の筒形ブラケットへの嵌入れをより有利に実現することが出来る。
【００２２】
また、本発明に係る防振マウント組立体においては、前記嵌着ゴムの軸方向中間部分に環状の段差面が形成されており、該嵌着ゴムにおいて該段差面の軸方向一方の側に位置する部分に対して他方の側に位置する部分を外周側に突出せしめることにより該段差面で前記環状係止面が構成されていると共に、該嵌着ゴムにおいて該段差面の軸方向他方の側に位置して外周側に突出する部分が前記筒形ブラケットの前記下テーパ面に当接せしめられて圧縮変形せしめられた構造を採用しても良い。
【００２３】
このような構造によれば、防振マウント本体の筒形ブラケットへの嵌入れに際して、嵌着ゴムと筒形ブラケットの当接面積が必要以上に大きくなるのを防ぎつつ、嵌着ゴムの第二の取付部材に対する固着面積を大きく確保することが可能となる。それ故、嵌着ゴムの第二の取付部材からの剥離等の不具合を有利に回避することが出来ると同時に、嵌入力の増大を防いで、筒形ブラケットの破損等を回避出来る。
【発明を実施するための最良の形態】
【００２４】
以下、本発明を更に具体的に明らかにするために、本発明の実施形態について、図面を参照しつつ、詳細に説明する。
【００２５】
先ず、図１, ２には、本発明の一実施形態としての防振マウント組立体１０が示されている。防振マウント組立体１０は、防振マウント本体としてのエンジンマウント１２と筒形ブラケット１４を含んで構成されている。より詳細には、エンジンマウント１２は、図１〜３に示されているように、第一の取付部材としての第一の取付金具１６と、第二の取付部材としての第二の取付金具１８が、本体ゴム弾性体２０で連結された構造を有しており、第一の取付金具１６が図示しないパワーユニット側に取り付けられると共に、第二の取付金具１８が筒形ブラケット１４を介して図示しない車両ボデー側に取り付けられることにより、パワーユニットが車両ボデーに対して防振支持されるようになっている。なお、以下の説明において、上下方向とは、主たる振動の入力方向であり、筒形ブラケット１４の軸方向である、図１中の上下方向を言うものとする。
【００２６】
第一の取付金具１６は、略円形ブロック形状を呈しており、アルミニウム合金等で形成された高剛性の部材とされている。また、第一の取付金具１６には、軸方向上方に向かって突出する取付ボルト２２が一体形成されている。そして、取付ボルト２２が図示しないパワーユニット側の部材に螺着されることにより、第一の取付金具１６がパワーユニット側に固定されるようになっている。
【００２７】
また、第二の取付金具１８は、大径の略円筒形状とされた円筒状部を有しており、アルミニウム合金等で形成された高剛性の部材とされている。また、第二の取付金具１８の円筒状部の軸方向上端部には、図４に示されているように、径方向内側に延び出す段差部２４が形成されていると共に、第二の取付金具１８において段差部２４を挟んだ軸方向上側部分が、上方に向かって次第に拡径するテーパ部２６とされている。これにより、第二の取付金具１８の軸方向上端部分には、内周側に凹むように湾曲せしめられて、周方向全周に亘って略一定の断面形状とされたくびれ部２８が形成されている。
【００２８】
また、第二の取付金具１８の軸方向上端の開口周縁部には、フランジ状部３０が一体形成されている。フランジ状部３０は、軸直角方向で径方向外方に向かって広がるように設けられており、第二の取付金具１８の上端部に設けられたテーパ部２６と一体形成されている。また、フランジ状部３０において、径方向一方向で対向する部分には、径方向外方に向かって大きく延び出した一対の固定片３２，３２が設けられている。これらの固定片３２，３２には、それぞれ板厚方向（軸方向）で貫通するボルト挿通孔３４が形成されている。
【００２９】
これら第一の取付金具１６と第二の取付金具１８は、第一の取付金具１６が第二の取付金具１８に対して同一中心軸上で軸方向上方に離隔配置されると共に、それら第一の取付金具１６と第二の取付金具１８の間に介装される本体ゴム弾性体２０によって弾性的に連結されている。
【００３０】
なお、本実施形態におけるエンジンマウント１２は、内部に封入された非圧縮性流体の流動作用に基づいて有効な防振効果が発揮される流体封入式防振装置とされているが、エンジンマウント１２の具体的な内部構造については、特許文献２（特開２００５−１０６１５０号公報）等において開示された周知の構造であり、且つ、本発明の本質部分ではないことから、ここでは説明を省略する。
【００３１】
また、エンジンマウント１２には、軸方向下側に空気圧式アクチュエータ３６が配設されている。この空気圧式アクチュエータ３６は、外壁部材３８とゴム弾性壁４０を含んで構成されている。なお、本実施形態におけるエンジンマウント１２は、空気圧式アクチュエータ３６の作動によって防振性能が変化せしめられる負圧切換型の流体封入式防振装置とされているが、空気圧式アクチュエータ３６の具体的な内部構造についても、特開２００５−１０６１５０号公報等に開示された周知の構造であり、本発明の本質部分ではないことから、説明を省略する。
【００３２】
さらに、第二の取付金具１８の円筒状部における外周面の一部には、嵌着ゴムとしての圧接ゴム弾性体４２が被着形成されている。圧接ゴム弾性体４２は、全体として略円筒形状を呈しており、図４に示されているように、第二の取付金具１８の円筒状部における軸方向中間部分から軸方向上端部分に至る領域に亘って、第二の取付金具１８の外周面に固着されている。また、本実施形態において、圧接ゴム弾性体４２は、本体ゴム弾性体２０と一体形成されている。
【００３３】
また、本実施形態における圧接ゴム弾性体４２は、軸方向中間部分に環状係止面としての環状段差面４４を有している。即ち、本実施形態において、圧接ゴム弾性体４２は、軸方向下側部分である圧接部４６が、上側部分である固着部４８に比して外周側に突出せしめられており、それら圧接部４６と固着部４８の境界部分において、全周に亘って延びる環状段差面４４が形成されている。なお、本実施形態において、環状段差面４４は、外周側に行くに従って次第に軸方向下方に向かって傾斜する傾斜面とされている。
【００３４】
さらに、圧接ゴム弾性体４２の下端面は、案内テーパ面５０とされている。案内テーパ面５０は、軸方向上側に行くに従って次第に外周側に傾斜するテーパ状とされている。また、本実施形態では、軸方向に対する案内テーパ面５０の傾斜角度が、軸方向に対する環状段差面４４の傾斜角度に対して小さくされており、案内テーパ面５０が環状段差面４４よりも軸方向で広い領域に亘って広がっている。
【００３５】
また、本実施形態では、圧接ゴム弾性体４２の圧接部４６において、外周面に開口して軸方向で延びる多数の凹部としての案内溝５２が形成されており、圧接部４６の外周側表面が周方向で凹凸形状とされている。なお、本実施形態では、案内溝５２として、比較的に狭幅とされた案内溝５２ａと、比較的に幅広とされた案内溝５２ｂが、周方向で交互に位置するように形成されている。また、本実施形態では、周方向で隣り合う案内溝５２ａと案内溝５２ｂの間に、案内溝５２よりも周方向で狭幅とされた当接面が形成されている。
【００３６】
また、本実施形態において、圧接ゴム弾性体４２は、第二の取付金具１８の上端縁部に一体形成されたフランジ状部３０にまで至る軸方向長さで形成されており、圧接ゴム弾性体４２の上端面がフランジ状部３０の下面に加硫接着されている。更に、第二の取付金具１８の上端部分に設けられたくびれ部２８の外周面には、圧接ゴム弾性体４２と一体形成されたゴム弾性体が充填されており、本実施形態では、くびれ部２８の形成部分において、圧接ゴム弾性体４２が厚肉となっている。更にまた、圧接ゴム弾性体４２における圧接部４６の上端部分は、第二の取付金具１８のくびれ部２８の外周側に位置せしめられており、くびれ部２８の形状によって厚肉とされた圧接ゴム弾性体４２の軸方向中間部分に環状段差面４４が形成されている。換言すれば、第二の取付金具１８の段差部２４よりも軸方向上方に位置して圧接ゴム弾性体４２の環状段差面４４が設けられている。
【００３７】
また、エンジンマウント１２は、筒形ブラケット１４に嵌め入れられている。筒形ブラケット１４は、図５に示されているように、アルミニウム合金等の非鉄金属や繊維補強された硬質の合成樹脂等の軽量材で形成されており、全体として略円筒形状を呈している。また、筒形ブラケット１４の円筒状部の上端縁部には、径方向一方向で両側に突出する一対の固定支持片５４，５４が一体形成されている。これら一対の固定支持片５４，５４にはそれぞれ固定ボルト５６が配設されており、固定支持片５４を板厚方向で貫通して、軸方向上方に向かって延び出している。なお、本実施形態では、一対の固定支持片５４，５４が突出方向に対して直交する径方向において、筒形ブラケット１４の上端縁部に径方向一方の側に向かって延び出すストッパ支持部５７が一体形成されており、周方向に所定の長さで延びるように設けられている。
【００３８】
また、筒形ブラケット１４の軸方向下端部には、外周側に広がる取付脚部５８が一体形成されている。この取付脚部５８には、リベット挿通孔６０が取付脚部５８を軸方向で貫通するように形成されている。また、取付脚部５８には、図示しないボルト孔が形成されており、該ボルト孔に挿通されるボルトによって筒形ブラケット１４が図示しない車両ボデー側に固定的に取り付けられるようになっている。
【００３９】
ここにおいて、本実施形態における筒形ブラケット１４の内周面は、図４，５に示されているように、上テーパ面６２と下テーパ面６４で構成されている。上テーパ面６２は、筒形ブラケット１４の内周面において、軸方向上側の開口部から軸方向中間の一部に至る領域を構成するように設けられており、軸方向上側に向かって次第に拡開するように傾斜する筒状のテーパ面とされている。また、下テーパ面６４は、筒形ブラケット１４の内周面において、軸方向中間の一部から軸方向下側の開口部に至る領域を構成するように設けられており、軸方向下側に向かって次第に拡開するように傾斜する筒状のテーパ面とされている。
【００４０】
また、筒形ブラケット１４の軸方向中間の一部において、上テーパ面６２と下テーパ面６４が相互に接続されている。これにより、上テーパ面６２と下テーパ面６４の境界である筒形ブラケット１４の軸方向中間の一部において、内周側に凸となる稜線としての係止頂部６６が形成されている。この係止頂部６６は、本実施形態では、全周に亘って連続して形成されており、内周側に向かって嘴状に突出せしめられている。また、本実施形態では、筒形ブラケット１４の内径寸法が係止頂部６６の形成箇所において最小となっていると共に、係止頂部６６の形成箇所における筒形ブラケット１４の内径が、第二の取付金具１８の最大の外径寸法よりも大きくなっている。更に、図５にも示されているように、本実施形態における係止頂部６６は、筒形ブラケット１４において軸方向で上側開口部付近に偏倚して形成されている。
【００４１】
なお、このような上下のテーパ面６２，６４は、筒形ブラケット１４を成形する際に用いられる成形用金型を、筒形ブラケット１４の成形後に筒形ブラケット１４から容易に取り外すために設けられる脱型用のテーパ面を利用して、有利に形成することが出来る。
【００４２】
すなわち、本実施形態において、筒形ブラケット１４は、硬質の合成樹脂材を用いて射出成形等した成形品とされており、成形用金型によって形成されるキャビティに合成樹脂材料を充填して、筒形ブラケット１４を目的とする形状の成形品として形成した後、成形用金型を筒形ブラケット１４から取り外すことにより形成されるようになっている。ここにおいて、本実施形態では、筒形ブラケット１４の成形用金型が、筒形ブラケット１４の内周面形状を設定する上下の成形用金型を含んで構成されており、上成形用金型の抜き外し方向が軸方向上方とされていると共に、下成形用金型の抜き外し方向が軸方向下方とされている。また、上下の金型が筒形ブラケット１４の軸方向中間部分において、特定の位置で組み合わされるようになっている。これにより、筒形ブラケット１４の内周面には、上成形用金型の脱型用テーパと下成形用金型の脱型用テーパがそれぞれ形成されるようになっており、それら上下金型の脱型用テーパによって、本実施形態における上下テーパ面６２，６４が形成されるようになっている。
【００４３】
そして、筒形ブラケット１４は、エンジンマウント１２に対して外嵌固定される。即ち、第二の取付金具１８の円筒状部が、筒形ブラケット１４の円筒状部に対して、軸方向上側の開口部から挿し入れられて、第二の取付金具１８に一体形成されたフランジ状部３０が筒形ブラケット１４の上端面に重ね合わされると共に、第二の取付金具１８に一体形成された固定片３２が筒形ブラケット１４に一体形成された固定支持片５４に重ね合わされて、エンジンマウント１２と筒形ブラケット１４が軸方向で相対的に位置決めされる。なお、本実施形態では、第二の取付金具１８のフランジ状部３０がくびれ部２８の上端から延び出すように形成されている。それ故、フランジ状部３０の内径寸法が充分に小さくされて、筒形ブラケット１４の上端面に対して広い範囲で重ね合わされるようになっている。
【００４４】
さらに、図示しないリバウンドストッパ部材が固定片３２に上方から重ね合わされると共に、固定支持片５４に固着されて軸方向上方に向かって延び出す固定ボルト５６が、軸方向で重ね合わされた固定支持片５４と固定片３２とリバウンドストッパ部材を貫通せしめられている。そして、固定ボルト５６に対して図示しない締結ナットを螺着せしめることにより、固定片３２と固定支持片５４、延いては、エンジンマウント１２と筒形ブラケット１４が相互に固定されるようになっている。これにより、エンジンマウント１２を構成する第二の取付金具１８は、筒形ブラケット１４を介して図示しない車両ボデー側に取り付けられるようになっている。なお、固定支持片５４に設けられた固定ボルト５６が、固定片３２に形成されたボルト挿通孔３４に挿通せしめられることにより、エンジンマウント１２が筒形ブラケット１４に対して周方向で容易に位置合わせされるようになっている。
【００４５】
ここにおいて、筒形ブラケット１４の円筒状部における最小内径寸法は、第二の取付金具１８の円筒状部における最大外径寸法よりも大きくなっている。これにより、エンジンマウント１２と筒形ブラケット１４の組付け状態下において、第二の取付金具１８の円筒状部と筒形ブラケット１４の円筒状部の間に隙間が設けられており、第二の取付金具１８の円筒状部と筒形ブラケット１４の円筒状部が全周に亘って離隔せしめられている。
【００４６】
そして、第二の取付金具１８の円筒状部と筒形ブラケット１４の円筒状部の間には、第二の取付金具１８の外周面に固着された圧接ゴム弾性体４２が介在せしめられている。即ち、第二の取付金具１８の外周面に固着された圧接ゴム弾性体４２の圧接部４６は、その外径寸法が筒形ブラケット１４の係止頂部６６付近の内径寸法よりも大きくされている。これにより、図４に拡大して示されているように、エンジンマウント１２の筒形ブラケット１４への装着状態下において、圧接ゴム弾性体４２の下側部分を構成する圧接部４６が筒形ブラケット１４の内周面に形成された下テーパ面６４に対して押し当てられている。
【００４７】
要するに、筒形ブラケット１４には、上テーパ面６２の上方開口部からエンジンマウント１２がその第二の取付金具１８側から軸方向に挿し入れられている。そして、第二の取付金具１８の外周面に被着形成された圧接ゴム弾性体４２が、環状段差面４４を挟んだ大径側部分（図中の軸方向下側部分）である圧接部４６において、筒形ブラケット１４の係止頂部６６を越えて下テーパ面６４側に位置せしめられている。ここにおいて、圧接ゴム弾性体４２の圧接部４６の外径寸法が、筒形ブラケット１４の係止頂部６６付近の内径寸法よりも大きくされていることにより、圧接ゴム弾性体４２が第二の取付金具１８と筒形ブラケット１４の下テーパ面６４の間で締め付けられて押し潰されるように変形せしめられて、第二の取付金具１８と筒形ブラケット１４の間に介在せしめられている。
【００４８】
このように圧接ゴム弾性体４２が第二の取付金具１８と筒形ブラケット１４の間で圧縮された状態で介在せしめられることにより、圧接ゴム弾性体４２と筒形ブラケット１４の当接箇所で摩擦力が生じて、エンジンマウント１２と筒形ブラケット１４の軸方向での相対変位が防がれるようになっている。そして、この摩擦力によって軸方向の抜け抗力としての当接係止力が実現されるようになっている。なお、本実施形態において、下テーパ面６４は、圧接部４６の軸方向上側部分に当接せしめられている一方、軸方向下側部分から離隔せしめられている。また、図４においては、上下テーパ面６２，６４の傾斜角度等が誇張して示されている。また、本実施形態では、圧接ゴム弾性体４２の環状段差面４４において、筒形ブラケット１４の係止頂部６６に対する軸方向の係止力も発揮されるようになっている。
【００４９】
しかも、本実施形態におけるエンジンマウント１２と筒形ブラケット１４の組付け状態下において、圧接ゴム弾性体４２は、軸方向上方に向かって次第に縮径する円錘台側面形状の下テーパ面６４に押し当てられている。それ故、エンジンマウント１２が筒形ブラケット１４に対して軸方向上方に相対変位するように外力が作用すると、下テーパ面６４が圧接ゴム弾性体４２に設けられた環状段差面４４に対して、より大きな力で押し当てられて当接係止せしめられる。これにより、エンジンマウント１２を筒形ブラケット１４に対して軸方向上方に相対変位せしめるように作用する抜け力に対する抗力を、有利に得ることが出来るようになっている。従って、第二の取付金具１８の筒形ブラケット１４への嵌入れに際して剪断変形せしめられる圧接ゴム弾性体４２の復原力によって、エンジンマウント１２が筒形ブラケット１４に対して軸方向で相対的に変位せしめられるのを防いで、エンジンマウント１２と筒形ブラケット１４を軸方向で所定の位置に固定的に組み付けることが出来る。
【００５０】
また、エンジンマウント１２と筒形ブラケット１４の組付け状態下において、上テーパ面６２と下テーパ面６４の境界に形成される係止頂部６６が、圧接ゴム弾性体４２の軸方向中間部分に設けられる環状段差面４４よりも軸方向上方に位置せしめられている。これにより、エンジンマウント１２は、係止頂部６６と環状段差面４４の係止によって筒形ブラケット１４に対する有効な抜け抗力を得ることが可能となっており、軸方向で有利に位置決めされるようになっている。
【００５１】
また、本実施形態では、筒形ブラケット１４の内周面が軸方向に対して傾斜して広がるテーパ面とされていると共に、圧接ゴム弾性体４２の外周面が軸方向に対して平行に広がる筒状面とされている。それ故、エンジンマウント１２の筒形ブラケット１４への嵌入れに際して、筒形ブラケット１４の内周面と圧接ゴム弾性体４２の外周面の当接面積を小さくすることが出来て、比較的に小さな押圧力でエンジンマウント１２を筒形ブラケット１４に嵌め入れることが出来る。しかも、本実施形態では、筒形ブラケット１４の内径寸法が係止頂部６６の形成位置において最小となるようにされていると共に、係止頂部６６が突出先端側である内周側に向かって次第に軸方向で狭幅となる嘴状とされている。それ故、エンジンマウント１２を筒形ブラケット１４に嵌め入れる際に必要な外力をより有利に抑えることが出来る。従って、非鉄金属や合成樹脂材等の軽量材を筒形ブラケット１４の材料として採用する場合にも、エンジンマウント１２の組付けによる筒形ブラケット１４の破損や変形を有利に防ぐことが出来る。
【００５２】
さらに、本実施形態では、圧接ゴム弾性体４２における圧接部４６の外周面に、軸方向で直線的に延びる多数の案内溝５２が形成されている。これにより、筒形ブラケット１４の内周面と圧接ゴム弾性体４２の外周面の当接面積をより小さくすることが出来て、エンジンマウント１２の筒形ブラケット１４への嵌入れに際して、抗力を小さく抑えることが出来る。それ故、比較的に小さな嵌入れ力でエンジンマウント１２の筒形ブラケット１４への組付けを実現して、筒形ブラケット１４の変形やクラック等の破損を防ぐことが出来る。特に本実施形態では、案内溝５２が軸方向で直線的に延びる多数の凹部で構成されていることから、案内溝５２の案内作用によって、エンジンマウント１２を引っ掛かることなくスムーズに嵌め入れることが出来る。
【００５３】
更にまた、本実施形態では、圧接ゴム弾性体４２の軸方向下端に設けられた案内テーパ面５０の軸方向に対する傾斜角度が、圧接ゴム弾性体４２の軸方向中間部分に設けられた環状段差面４４の軸方向に対する傾斜角度に比して小さくなっている。それ故、エンジンマウント１２の筒形ブラケット１４への嵌入れに際して、案内テーパ面５０の案内作用によってエンジンマウント１２を筒形ブラケット１４に対して比較的容易に圧入することが出来る一方、組付け後における抜け力の作用時には、環状段差面４４および圧接部４６と下テーパ面６４および係止頂部６６の当接係止によって有効な抜け抗力を得ることが出来る。
【００５４】
以上、本発明の一実施形態について説明してきたが、これはあくまでも例示であって、本発明は、かかる実施形態における具体的な記載によって、何等、限定的に解釈されるものではない。
【００５５】
例えば、前記実施形態において、上テーパ面６２と下テーパ面６４は、何れも一定の勾配で傾斜するテーパ面とされているが、上テーパ面と下テーパ面は、例えば、勾配が漸次変化する湾曲面とされていても良いし、勾配が異なる複数の傾斜平面の組合わせによって構成されていても良い。具体的には、例えば、図６に示されている筒形ブラケット６８のように、下テーパ面７０が、筒形ブラケット６８の軸方向下側開口部から軸方向中間部分に至る領域に形成されて、軸方向に対する勾配が比較的に小さい第一のテーパ面７２と、筒形ブラケット６８の軸方向中間部分から係止頂部６６に至る領域に形成されて、軸方向に対する勾配が比較的に大きい第二のテーパ面７４を有している。換言すれば、下テーパ面７０は、軸方向下側部分に比して係止頂部６６付近である軸方向上側部分において、軸方向に対する勾配が大きくなっている。これによれば、筒形ブラケット６８の第二のテーパ面７４が、圧接ゴム弾性体４２の環状段差面４４に対して有利に当接係止せしめられて、エンジンマウント１２の筒形ブラケット６８に対する抜け抗力をより効果的に得ることが出来る。
【００５６】
また、前記実施形態において、環状係止面は、嵌着ゴムとしての圧接ゴム弾性体４２の軸方向中間部分に設けられた環状段差面４４によって構成されているが、環状係止面は必ずしも嵌着ゴムの軸方向中間部分に形成されている必要はない。具体的には、例えば、嵌着ゴムの軸方向上端面を利用して環状係止面が構成されていても良い。
【００５７】
また、前記実施形態では、圧接ゴム弾性体４２の外周面に設けられる凹部としての案内溝５２が軸方向で直線的に延びるようになっている。しかしながら、凹部は、必ずしも軸方向に延びるようになっていなくても良く、例えば、周方向に延びて、軸方向で所定距離を隔てて複数条の凹部が形成されていても良い。これによれば、防振マウント本体の筒形ブラケットからの抜けに対する抗力をより有利に得ることが出来る。また、前記実施形態では、凹部として溝幅寸法が異なる案内溝５２ａと案内溝５２ｂが形成されている。しかし、凹部は、同じ溝幅寸法とされた複数の溝状部によって構成されていても良い。
【００５８】
また、防振マウント本体の具体的な構造は、前記実施形態で示されたエンジンマウント１２の構造によって限定的に解釈されるものではなく、本発明の趣旨を逸脱しない限り、各種公知の構造を有する防振装置が防振マウント本体として適用可能である。即ち、前記実施形態においては、防振マウント本体として、壁部の一部が本体ゴム弾性体２０で構成されて、振動入力時に圧力変動が生ぜしめられる受圧室と、壁部の一部が可撓性膜で構成されて、容積変化が容易に許容される平衡室を設けて、それら両室に非圧縮性流体を封入すると共に、それら両室をオリフィス通路で相互に連通せしめて、オリフィス通路を通じて両室間を流動せしめられる流体の共振作用等の流動作用に基づく防振効果が発揮されるようにした流体封入式のエンジンマウント１２が例示されているが、防振マウント本体は、流体封入式以外の防振装置であっても良い。
【００５９】
また、前記実施形態では、環状係止面としての環状段差面４４が、くびれ部２８の外周側に位置するように形成されており、環状段差面４４の形成箇所において圧接ゴム弾性体４２が比較的に厚肉とされているが、例えば、環状段差面４４は、第二の取付金具１８において段差部２４よりも軸方向下側部分の外周側に位置するように設けられていても良い。これによれば、環状段差面４４の形成箇所において、圧接ゴム弾性体４２の径方向での厚さを比較的に薄くして、環状段差面４４の下テーパ面６４への当接係止によるエンジンマウント１２と筒形ブラケット１４の固定を有利に実現することが出来る。
【００６０】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００６１】
【図１】本発明の一実施形態としての防振マウント組立体を示す断面図であって、図３におけるＩ−Ｉ線断面図。
【図２】図１に示された防振マウント組立体を示す図３におけるＩＩ−ＩＩ線断面図。
【図３】図１に示された防振マウント組立体を構成するエンジンマウントを示す平面図。
【図４】図１に示された防振マウント組立体の要部を拡大誇張して示す説明図。
【図５】図１に示された防振マウント組立体を構成する筒形ブラケットを示す縦断面図。
【図６】本発明の別の一実施形態としての防振マウント組立体を構成する筒形ブラケットの要部を拡大誇張して示す説明図。
【符号の説明】
【００６２】
１０：防振マウント組立体，１２：エンジンマウント，１４：筒形ブラケット，１６：第一の取付金具，１８：第二の取付金具，２０：本体ゴム弾性体，４２：圧接ゴム弾性体，４４：環状段差面，４６：圧接部，４８：固着部，５２：案内溝，６２：上テーパ面，６４：下テーパ面，６６：係止頂部
【図１】
2008248932.tif 000003
【図２】
2008248932.tif 000004
【図３】
2008248932.tif 000005
【図４】
2008248932.tif 000006
【図５】
2008248932.tif 000007
【図６】
2008248932.tif 000008